(57)【要約】      （修正有）【課題】ペイパービュー番組を録画予約する際に、ペイパービュー番組の購入状態をユーザに通知することができる放送受信装置を提供する。【解決手段】放送受信装置は、録画予約部と、制御部と、を有する。録画予約部は、番組毎に購入が必要なペイパービュー番組を録画予約する。制御部は、ペイパービュー番組の録画予約が指示された際、又は、ペイパービュー番組の録画予約が入れられた際に、ペイパービュー番組が購入済みか未購入かを判定し、ペイパービュー番組が未購入と判定した場合、所定のメッセージことを通知する。【選択図】図２
2019186781.tif 000002
【特許請求の範囲】
【請求項１】
番組毎に購入が必要なペイパービュー番組を録画予約する録画予約部と、
前記ペイパービュー番組の録画予約が指示された際、又は、前記ペイパービュー番組の録画予約が入れられた際に、前記ペイパービュー番組が購入済みか未購入かを判定し、前記ペイパービュー番組が未購入と判定した場合、所定のメッセージを通知する制御部と、
を備えることを特徴とする放送受信装置。
【請求項２】
前記制御部は、ＣＡＳ（Conditional Access System）モジュールに保存されたスクランブル鍵の情報に基づいて、前記ペイパービュー番組が購入済みか未購入かを判定することを特徴とする請求項１に記載の放送受信装置。
【請求項３】
前記制御部は、前記ペイパービュー番組の録画予約が入れられた際に、前記ペイパービュー番組が未購入と判定した場合、録画開始までに前記ペイパービュー番組の購入が必要であることを通知することを特徴とする請求項１に記載の放送受信装置。
【請求項４】
前記制御部は、前記ペイパービュー番組の録画予約が入れられた際に、前記ペイパービュー番組が購入済みと判定した場合、前記ペイパービュー番組の購入が必要であることを通知しないことを特徴とする請求項１に記載の放送受信装置。
【請求項５】
前記制御部は、前記ペイパービュー番組の購入が必要であることを通知した後、録画開始までに前記ペイパービュー番組が購入された場合には、前記ペイパービュー番組を録画し、録画開始までに前記ペイパービュー番組が購入されなかった場合には、前記ペイパービュー番組の録画が入れられなかったことを通知することを特徴とする請求項１に記載の放送受信装置。
【請求項６】
前記制御部は、前記ペイパービュー番組の録画予約が指示された際に、前記ペイパービュー番組が未購入と判定した場合、前記ペイパービュー番組を未購入のため録画予約ができないことを通知することを特徴とする請求項１に記載の放送受信装置。
【請求項７】
前記制御部は、前記ペイパービュー番組の録画予約が指示された際に、前記ペイパービュー番組が購入済みと判定した場合、前記録画予約部に前記ペイパービュー番組の録画予約を入れさせることを特徴とする請求項６に記載の放送受信装置。
【請求項８】
前記制御部は、購入済み、かつ、録画予約済みの前記ペイパービュー番組に対して録画予約がキャンセルされた場合、放送開始までに購入をキャンセルする必要があることを通知する請求項１に記載の放送受信装置。
【請求項９】
番組毎に購入が必要なペイパービュー番組を録画予約する録画予約ステップと、
前記ペイパービュー番組の録画予約が指示された際、又は、前記ペイパービュー番組の録画予約が入れられた際に、前記ペイパービュー番組が購入済みか未購入かを判定し、前記ペイパービュー番組が未購入と判定した場合、所定のメッセージを通知する通知ステップと、
を備えることを特徴とする放送受信方法。
【発明の詳細な説明】
【技術分野】
【０００１】
本発明の実施の形態は、放送受信装置及び放送受信方法に関する。
【背景技術】
【０００２】
近年、４Ｋ／８Ｋの超高精細度デジタル放送を提供するサービスとして、高度広帯域ＢＳ放送／高度広帯域ＣＳ放送の試験放送が行われている。高度広帯域ＢＳ放送／高度広帯域ＣＳ放送は、２０１８年１２月１日以降に実用放送を開始する予定になっており、標準規格が電波産業会（ＡＲＩＢ）によって策定されている。
【０００３】
また、デジタル放送において、番組ごとに購入が必要なペイパービュー番組が提供されている。ペイパービュー番組の購入の手続き等は、データ放送サービスによって実現される。
【０００４】
さらに、ペイパービュー番組の録画予約を行う場合、電子番組ガイド（ＥＰＧ）の画面上から録画予約を行うことが想定される。この場合、未購入のペイパービュー番組も録画予約できることになり、録画予約した番組の録画が実行されるまでにペイパービュー番組の購入手続きを行わなかった場合、録画が実行されないことになる。
【０００５】
このため、電子番組ガイドの画面上からペイパービュー番組の録画予約を行った際に、ペイパービュー番組が未購入の場合、電子番組ガイドの画面上からデータ放送サービスを直接起動する放送受信装置が提供されている。
【０００６】
しかしながら、この放送受信装置は、未購入のペイパービュー番組の録画予約を行った場合、データ放送サービスが必ず起動されることになり、ユーザは購入手続きの操作等を行う必要がでてくる。ユーザによっては、録画予約を行った後、時間の余裕があるときにペイパービュー番組の購入手続きを行うことが考えられる。
【先行技術文献】
【特許文献】
【０００７】
【特許文献１】特開２０１７−１１８４６０号公報
【発明の概要】
【発明が解決しようとする課題】
【０００８】
本発明の実施の形態は、ペイパービュー番組を録画予約する際に、ペイパービュー番組の購入状態をユーザに通知することができる放送受信装置及び放送受信方法を提供することを目的とする。
【課題を解決するための手段】
【０００９】
実施の形態の放送受信装置は、録画予約部と、制御部と、を有する。録画予約部は、番組毎に購入が必要なペイパービュー番組を録画予約する。制御部は、制御部は、ペイパービュー番組の録画予約が指示された際、又は、ペイパービュー番組の録画予約が入れられた際に、ペイパービュー番組が購入済みか未購入かを判定し、ペイパービュー番組が未購入と判定した場合、所定のメッセージことを通知する。
【図面の簡単な説明】
【００１０】
【図１】一実施の形態に係る放送受信装置を示すブロック図である。
【図２】ペイパービュー番組を録画予約する際の処理の一例を示すフローチャートである。
【図３】ペイパービュー番組を録画予約する際に表示されるメッセージの一例を示す図である。
【図４】ペイパービュー番組を録画予約する際の処理の他の例を示すフローチャートである。
【図５】ペイパービュー番組を録画予約する際に表示されるメッセージの他の例を示す図である。
【図６】ペイパービュー番組の録画予約をキャンセルする際の処理の一例を示すフローチャートである。
【図７】ペイパービュー番組の録画予約をキャンセルする際に表示されるメッセージの一例を示す図である。
【発明を実施するための形態】
【００１１】
以下、図面を参照して本発明の実施の形態について詳細に説明する。
【００１２】
図１は、一実施の形態に係る放送受信装置を示すブロック図である。
【００１３】
図１において、アンテナ２１は、高度広域帯ＢＳ放送及び高度広域帯ＣＳ放送（以下、これらを高度広帯域放送という）を受信して高度広帯域放送信号を放送受信装置１の入力端子２ａに供給する。入力端子２ａに入力された高度広帯域放送信号はチューナ部Ｔｕに供給される。
【００１４】
放送受信装置１は、制御部１０を備えている。制御部１０は、ＣＰＵ等を用いたプロセッサによって構成されて、ＲＯＭ１０ａに記憶されたプログラムに従って動作して各部を制御するものであってもよいし、ハードウェアの電子回路で機能の一部又は全部を実現するものであってもよい。
【００１５】
チューナ部Ｔｕは、複数のチューナＴｕ１，Ｔｕ２，…（以下、これらを代表してチューナＴｕｎという）を有している。チューナＴｕｎは、制御部１０に制御されて、それぞれ入力された高度広帯域放送信号の中から所望のチャンネルの放送信号を選局し、この選局した信号を信号処理部３に出力する。信号処理部３は、入力された放送信号を復調する。
【００１６】
図１の例では１つの高度広帯域放送に対応するアンテナ２１のみを示したが、地上デジタル放送、ＢＳ放送、広域帯ＣＳ放送に対応するアンテナを設けて、各アンテナからの信号をチューナ部Ｔｕに供給するようになっていてもよい。この場合には、チューナＴｕｎは各放送の所望のチャンネル（周波数）を選局し、信号処理部３は各放送の変調方式に対応した復調を行う。これにより、信号処理部３において、各放送信号のストリームが得られる。なお、図１では、各放送信号がアンテナを介して入力される例を示したが、放送信号の伝送路は特に限定されるものではなく、空中線を介さずインターネット回線を介して受信するＩＰ放送や、ケーブルテレビジョン放送網を介して受信するものであってもよい。
【００１７】
例えば、高度広帯域放送信号については、信号処理部３の復調によってＴＬＶ（Type Length Value）ストリームが得られる。信号処理部３は、ＴＬＶストリームに含まれるＩＰパケットを分離し、ＩＰパケット中に含まれる映像データ、音声データ、字幕データ、文字スーパー、アプリケーションデータ及びＥＣＭ（Entitlement Control Message），ＥＭＭ（Entitlement Management Message）を含む各種メッセージを抽出する。
【００１８】
なお、信号処理部３は、地上デジタル放送信号については、復調処理によってトランスポートストリーム（ＭＰＥＧ−２  Ｓｙｓｔｅｍｓ規格により多重されたトランスポートストリーム）を抽出する。更に、信号処理部３は、トランスポートストリームから映像データ及び音声データを抽出すると共に、ＥＣＭ，ＥＭＭを含む各種メッセージを抽出するようになっている。
【００１９】
更に、信号処理部３は、各放送方式の映像データ及び音声データに対するデコード処理を行った後所定の信号処理を施し、映像データ及び音声データを得る。信号処理部３は、映像データ及び音声データをそれぞれグラフィック処理部４又は音声処理部７に与え、その他のデータを制御部１０に与える。ＯＳＤ信号生成部５は、制御部１０から与えられた情報に基づいて、スーパーインポーズ表示するための画像情報（ＯＳＤ信号）を生成してグラフィック処理部４に供給する。
【００２０】
グラフィック処理部４は、信号処理部３からのデジタルの映像データと、ＯＳＤ信号生成部５からのＧＵＩ（Graphical User Interface）に基づく画像等を重ね合わせ、この重ね合わせた画像を映像処理部６に送る。
【００２１】
例えば、グラフィック処理部４には、映像データの他、番組を取得するための各種データや電子番組ガイド（ＥＰＧ）情報，番組属性情報，字幕情報等が与えられ、グラフィック処理部４は、これら入力された情報に基づいてＥＰＧ，字幕等を表示するための画像生成処理を行うことができる。
【００２２】
映像処理部６は、制御部１０に制御されて、グラフィック処理部４からのデジタル放送信号を映像表示部８で表示可能なフォーマット（画素数、フレーム周波数、走査方式）に変換したり、表示色を任意に調整したりして、映像表示部８に出力する。これにより、映像表示部８の表示画面上において、映像を表示させることができる。
【００２３】
また、音声処理部７は、信号処理部３からのデジタルの音声データを、スピーカ９で再生可能なアナログ信号に変換した後、スピーカ９に出力して音声を再生させる。なお、放送受信装置１がセット・トップ・ボックス等の場合には、映像表示部８やスピーカ９を備えている必要はない。
【００２４】
放送受信装置１にはカードインタフェース（Ｉ／Ｆ）１３、通信Ｉ／Ｆ１６、ＵＳＢ  Ｉ／Ｆ１７及びＨＤＭＩ  Ｉ／Ｆ１８が設けられている。カードＩ／Ｆ１３は、カードホルダ１４に装着されたＩＣカード２３と、制御部１０との間でデータの送受信を可能にする。例えば、ＩＣカード２３として現行デジタル放送に対応したＣＡＳカードを採用した場合には、カードＩ／Ｆ１３は、現行放送のデスクランブルに関するデータの送受を行う。
【００２５】
通信Ｉ／Ｆ１６は、ＩＥＥＥ１３９４等の所定の通信路に対応したインタフェースであり、端子２ｂを介して図示しない外部機器に接続されて外部機器と制御部１０との間でデータの送受信を可能にする。また、ＨＤＭＩ  Ｉ／Ｆ１８は、ＨＤＭＩ規格に対応したインタフェースであり、端子２ｄを介して図示しない外部機器に接続されて外部機器からのＨＤＭＩ信号を受信して制御部１０に出力したり、制御部１０からのＨＤＭＩ信号を、端子２ｄを介して外部機器に出力したりすることができる。
【００２６】
ＵＳＢ  Ｉ／Ｆ１７は、ＵＳＢ規格に対応したインタフェースであり、端子２ｃを介してＨＤＤ２４等のＵＳＢ対応機器に接続されてＵＳＢ対応機器と制御部１０との間でデータの送受信を可能にする。例えば、端子２ｃにＨＤＤ２４が接続された場合には、制御部１０は、ＵＳＢ  Ｉ／Ｆ１７及び端子２ｃを介して映像データをＨＤＤ２４に与えて記録させることが可能である。なお、内蔵したＨＤＤや光ディスクドライブ、ＳＤ（登録商標）カードリーダライタ等によって記録部を構成することで、制御部１０は、放送番組の信号を記録することも可能である。
【００２７】
放送受信装置１には操作部１１及び受信部１２が設けられている。操作部１１は図示しないスイッチ、キー、ボタン等によって構成されて、ユーザ操作に基づく操作信号を制御部１０に出力する。また、受信部１２は、リモートコントローラ（以下、リモコンという）２２からユーザ操作に基づく操作信号を受信し、この受信した操作信号を制御部１０に出力する。制御部１０は、操作部１１及び受信部１２からの操作信号に基づいて、放送受信装置１の各部を制御する。例えば、リモコン２２によって、アップ／ダウンキーやワンタッチ選局ボタン等によって受信チャンネル番号を指定する操作が行われた場合には、各チューナＴｕｎは、リモコン２２からの操作信号に応じた選局動作を行う。
【００２８】
放送受信装置１にはＣＡＳモジュール１５が設けられている。ＣＡＳモジュール１５は、限定受信方式の制御のために用いられる。ＣＡＳモジュール１５には、モジュール固有のマスターキーＫｍが記憶されている。信号処理部３において抽出されたＥＭＭにはスクランブルを解除するためのワーク鍵Ｋｗが含まれる。このＥＭＭは、モジュール毎に個別のマスターキーＫｍで暗号化されており、ＣＡＳモジュール１５は、制御部１０から与えられたＥＭＭを、マスターキーＫｍを用いて復号してワーク鍵Ｋｗを取得する。
【００２９】
放送データはスクランブル鍵Ｋｓにより暗号化されている場合がある。このスクランブル鍵Ｋｓは、ＥＣＭに多重されて伝送される。このＥＣＭは放送事業者毎に可変のワーク鍵Ｋｗによって暗号化されており、ＣＡＳモジュール１５は、保存しているワーク鍵Ｋｗを用いて、制御部１０から与えられたＥＣＭを復号してスクランブル鍵Ｋｓを取得する。ＣＡＳモジュール１５からのスクランブル鍵Ｋｓは制御部１０を介して信号処理部３に供給され、信号処理部３は、スクランブル鍵Ｋｓを用いて、デスクランブル処理を行うようになっている。
【００３０】
なお、スクランブル鍵Ｋｓは、比較的短い時間で更新されており、ＣＡＳモジュール１５は、スクランブルが施された番組の視聴中は、常にスクランブル鍵Ｋｓの取得及び信号処理部３への出力を行う。なお、ＩＣカード２３としてＣＡＳカードを用いた場合には、このＣＡＳカードの復号動作もＣＡＳモジュール１５と同様である。
【００３１】
また、ユーザがデータ放送サービスを起動し、ペイパービュー番組を購入すると、データ放送サービスからスクランブル鍵Ｋｓが放送受信装置１に送信され、ＣＡＳモジュール１５に保存される。購入したペイパービュー番組の放送が開始されると、ＣＡＳモジュール１５からのスクランブル鍵Ｋｓは制御部１０を介して信号処理部３に供給され、信号処理部３は、スクランブル鍵Ｋｓを用いて、デスクランブル処理を行うようになっている。
【００３２】
また、ユーザがＥＰＧからペイパービュー番組の録画予約を入れると、制御部１０は、ＣＡＳモジュール１５に保存されているスクランブル鍵Ｋｓの情報に基づいて、録画予約が入れられたペイパービュー番組が購入済みか未購入かを判定する。制御部１０は、録画予約が入れられたペイパービュー番組が未購入の場合、録画開始までにペイパービュー番組の購入が必要であることを通知する。一方、制御部１０は、録画予約が入れられたペイパービュー番組が購入済みの場合、録画開始までにペイパービュー番組の購入が必要であることを通知しない。
【００３３】
次に、ペイパービュー番組を録画予約する際の放送受信装置１の動作について、図２及び図３を用いて説明する。
【００３４】
図２は、ペイパービュー番組を録画予約する際の処理の一例を示すフローチャートであり、図３は、ペイパービュー番組を録画予約する際に表示されるメッセージの一例を示す図である。
【００３５】
ユーザがペイパービュー番組を録画予約するためにリモコン２２を操作すると、制御部１０は、電子番組ガイド情報から生成される電子番組表３１を映像表示部８に表示する（Ｓ１）。この処理により、図３に示す電子番組表３１が映像表示部８に表示されることになる。
【００３６】
ユーザがリモコン２２を操作し、電子番組表３１からペイパービュー番組３２の録画予約を指示すると（Ｓ２）、ペイパービュー番組３２の録画予約を入れるための制御信号がリモコン２２から受信部１２を介して制御部１０に入力される。
【００３７】
制御部１０は、ペイパービュー番組３２の録画予約を入れるための制御信号が入力されると、ペイパービュー番組３２を録画予約する（Ｓ３）。このように、制御部１０は、番組毎に購入が必要なペイパービュー番組３２を録画予約することができる録画予約部を構成する。
【００３８】
そして、制御部１０は、録画予約の入れられたペイパービュー番組３２が購入済みか否かを判定する（Ｓ４）。上述したように、制御部１０は、ＣＡＳモジュール１５に保存されているスクランブル鍵Ｋｓの情報に基づいて、録画予約の入れられたペイパービュー番組３２が購入済みか未購入かを判定する。
【００３９】
制御部１０は、ペイパービュー番組３２が未購入と判定した場合（Ｓ４：ＮＯ）、録画開始までにペイパービュー番組３２の購入が必要であることを通知する（Ｓ５）。具体的には、図３に示すように、制御部１０は、ペイパービュー番組３２が未購入と判定した場合、「この番組は有料です。録画開始までに購入手続きを行ってください。」というメッセージ３３を電子番組表３１の中央に表示し、購入が必要であることをユーザに通知する。なお、メッセージ３３を表示する位置は、電子番組表３１の中央に限定されることなく、他の位置であってもよい。
【００４０】
一方、制御部１０は、録画予約の入れられたペイパービュー番組３２が購入済みと判定した場合（Ｓ４：ＹＥＳ）、録画開始までにペイパービュー番組３２の購入が必要であることを通知しない（Ｓ６）。すなわち、制御部１０は、録画予約の入れられたペイパービュー番組３２が購入済みと判定した場合、メッセージ３３を電子番組表３１の中央に表示しないように制御する。
【００４１】
以上のように、放送受信装置１は、録画予約の入れられたペイパービュー番組３２が未購入の場合、ペイパービュー番組３２の購入が必要であることをメッセージ３３によってユーザに通知することができる。これにより、ユーザは、任意の時間にデータ放送サービスを起動し、ペイパービュー番組３２を購入するための手続きを行うことができる。この結果、放送受信装置１は、録画予約したペイパービュー番組が未購入のため録画が実行されなという状況を防ぐことができる。
【００４２】
よって、本実施の形態の放送受信装置によれば、ペイパービュー番組を録画予約する際に、ペイパービュー番組の購入状態をユーザに通知することができる。
【００４３】
また、制御部１０は、ペイパービュー番組３２の購入が必要であることを通知した後に、録画開始までにペイパービュー番組３２が購入された場合には、ペイパービュー番組３２を録画する。
【００４４】
一方、制御部１０は、ペイパービュー番組３２の購入が必要であることを通知した後に、録画開始までにペイパービュー番組３２が購入されなかった場合には、ペイパービュー番組３２の録画が実行されなかったことを通知する。すなわち、ペイパービュー番組３２が購入されなかった場合、ＣＡＳモジュール１５にスクランブル鍵Ｋｓが保存されていないため、ペイパービュー番組３２をデスクランブルできない。
【００４５】
制御部１０は、例えば、本機からのお知らせを発行し、ユーザが所定のメニューから通知を見られるようにする、あるいは、ＯＳＤ信号生成部５を制御してポップアップメッセージを映像表示部８に表示する。制御部１０は、例えば、「ペイパービュー番組３２は未購入のため、録画が実行されていません。」という通知、あるいは、ポップアップメッセージを映像表示部８に表示する。
【００４６】
（変形例１）  
次に、変形例１について説明する。
【００４７】
上述した実施の形態では、ペイパービュー番組３２の録画予約を入れると、ペイパービュー番組３２が未購入の状態でも録画予約を入れることができ、録画開始までにペイパービュー番組３２の購入が必要であることを通知していた。この場合、ユーザが録画開始までにペイパービュー番組３２の購入手続きを忘れた場合、ペイパービュー番組３２を録画できないという問題が発生する。
【００４８】
そこで、変形例１では、制御部１０は、ペイパービュー番組３２が未購入の場合、ペイパービュー番組３２の録画予約は入れられず、ペイパービュー番組３２を未購入のため録画予約ができないことを通知する。一方、制御部１０は、制御部１０は、ペイパービュー番組３２が購入済みの場合のみ、ペイパービュー番組３２の録画予約を入れる。
【００４９】
図４は、ペイパービュー番組を録画予約する際の処理の他の例を示すフローチャートであり、図５は、ペイパービュー番組を録画予約する際に表示されるメッセージの他の例を示す図である。なお、図４及び図５において、図２及び図３と同様の構成については、同一の符号を付して説明を省略する。
【００５０】
Ｓ２の処理において、ペイパービュー番組３２の録画予約が指示されると、制御部１０は、録画予約が指示されたペイパービュー番組３２が購入済みか否かを判定する（Ｓ１１）。
【００５１】
制御部１０は、録画予約が指示されたペイパービュー番組３２が未購入と判定した場合（Ｓ１１：ＮＯ）、ペイパービュー番組３２を未購入のため録画予約ができない（録画予約を入れられない）ことを通知する（Ｓ１２）。具体的には、図５に示すように、制御部１０は、ペイパービュー番組３２が未購入と判定した場合、「この番組は有料です。番組が未購入のため録画予約はできません。」というメッセージ３４を電子番組表３１の中央に表示し、購入が必要であることをユーザに通知する。なお、メッセージ３４を表示する位置は、電子番組表３１の中央に限定されることなく、他の位置であってもよい。
【００５２】
一方、制御部１０は、録画予約が指示されたペイパービュー番組３２が購入済みと判定した場合（Ｓ１１：ＹＥＳ）、ペイパービュー番組３２を録画予約する（録画予約を入れる）（Ｓ１３）。
【００５３】
以上の処理により、放送受信装置１は、購入済みのペイパービュー番組３２に対してのみ録画予約が入れられる。この結果、放送受信装置１は、録画開始までにペイパービュー番組３２の購入手続きをユーザが忘れたために、ペイパービュー番組３２を録画できないという問題を防ぐことができる。
【００５４】
（変形例２）  
次に、変形例２について説明する。
【００５５】
購入済みであり、かつ、録画予約が実行されたペイパービュー番組３２に対して録画予約がキャンセルされることが考えられる。この場合、録画開始（あるいは、放送開始）までにペイパービュー番組３２の購入をキャンセルしないと、視聴しないペイパービュー番組３２に購入費用を支払うことになる。
【００５６】
そのため、変形例２では、制御部１０は、購入済みであり、かつ、録画予約が入れられたペイパービュー番組３２に対して録画予約がキャンセルされ場合、放送開始までに購入をキャンセルする必要があることを通知する。
【００５７】
図６は、ペイパービュー番組の録画予約をキャンセルする際の処理の一例を示すフローチャートであり、図７は、ペイパービュー番組の録画予約をキャンセルする際に表示されるメッセージの一例を示す図である。なお、図７において、図３と同様の構成については、同一の符号を付して説明を省略する。
【００５８】
制御部１０は、ペイパービュー番組３２の録画予約がキャンセルされたか否かを判定する（Ｓ２１）。制御部１０は、ペイパービュー番組３２の録画予約がキャンセルされていないと判定した場合（Ｓ２１：ＮＯ）、Ｓ２１の処理に戻り、同様の処理を繰り返す。一方、制御部１０は、ペイパービュー番組３２の録画予約がキャンセルされたと判定した場合（Ｓ２１：ＹＥＳ）、録画予約がキャンセルされたペイパービュー番組３２が購入済みか否かを判定する（Ｓ２２）。
【００５９】
制御部１０は、録画予約がキャンセルされたペイパービュー番組３２が購入済みと判定した場合（Ｓ２２：ＮＯ）、放送開始までに購入をキャンセルする必要があることを通知する。（Ｓ２３）。具体的には、図７に示すように、制御部１０は、購入済みで、かつ、録画予約済みのペイパービュー番組３２に対して録画予約がキャンセルされた場合、「録画予約がキャンセルされたペイパービュー番組が購入済みとなっています。番組の放送開始までに購入をキャンセルしてください。」というメッセージ３５を電子番組表３１の中央に表示し、購入のキャンセルが必要であることをユーザに通知する。なお、メッセージ３５を表示する位置は、電子番組表３１の中央に限定されることなく、他の位置であってもよい。
【００６０】
一方、制御部１０は、録画予約がキャンセルされたペイパービュー番組３２が未購入と判定した場合（Ｓ１１：ＮＯ）、放送開始までに購入をキャンセルする必要があることを通知しない（Ｓ２４）。
【００６１】
以上の処理により、放送受信装置１は、購入済みで、かつ、録画予約済みのペイパービュー番組３２に対して録画予約がキャンセルされた場合、放送開始までに購入をキャンセルする必要があることを通知する。この結果、ユーザは、通知を確認し、ペイパービュー番組３２の購入をキャンセルすることができ、視聴しないペイパービュー番組３２に購入費用を支払う必要がなくなる。
【００６２】
本発明は、上記実施の形態に限定されるものではなく、実施段階ではその要旨を逸脱しない範囲で種々に変形することが可能である。また、上記実施の形態には種々の段階の発明が含まれており、開示される複数の構成要件における適当な組み合わせにより種々の発明が抽出され得る。例えば、実施の形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６３】
１…放送受信装置、２ａ…入力端子、２ｂ〜２ｄ…端子、３…信号処理部、４…グラフィック処理部、５…ＯＳＤ信号生成部、６…映像処理部、７…音声処理部、８…映像表示部、９…スピーカ、１０…制御部、１１…操作部、１２…受信部、１３…カードＩ／Ｆ、１４…カードホルダ、１５…ＣＡＳモジュール、１６…通信Ｉ／Ｆ、１７…ＵＳＢ  Ｉ／Ｆ、１８…ＨＤＭＩ  Ｉ／Ｆ、２１…アンテナ、２２…リモートコントローラ、２３…カード、２４…ＨＤＤ、３１…電子番組表、３２…ペイパービュー番組、３３〜３５…メッセージ。
【図１】
2019186781.tif 000003
【図２】
2019186781.tif 000004
【図３】
2019186781.tif 000005
【図４】
2019186781.tif 000006
【図５】
2019186781.tif 000007
【図６】
2019186781.tif 000008
【図７】
2019186781.tif 000009